(57)【要約】【課題】本発明はニット用ハンガーを開示した。【解決手段】長軸を含み、前記長軸の上端にはハンガー装置が連結され、前記ハンガー装置の外側にはニットが掛けられており、前記ニットの中には内部チャンバが設けられ、前記ハンガー装置が前記内部チャンバの中に位置しており、前記長軸の下端には動力装置が連結され、前記ハンガー装置は伸縮装置と連結装置とを含み、前記伸縮装置は連結板を含み、本発明は構造が簡単で、操作が便利であり、定量的に伸縮でき、異なったサイズのニットに適し、更に気体圧縮の方式でゆっくりと伸縮し、服へのダメージを避ける一方、ハンガーと竿上げ棒とも分離でき、速く服を掛けて乾すことができる。【選択図】図１
2020171636.tif 000002
【特許請求の範囲】
【請求項１】
長軸を含み、前記長軸の上端にはハンガー装置が連結され、前記ハンガー装置の外側にはニットが掛けられており、前記ニットの中には内部チャンバが設けられ、前記ハンガー装置が前記内部チャンバの中に位置しており、前記長軸の下端には動力装置が連結され、前記ハンガー装置は伸縮装置と連結装置とを含み、前記伸縮装置は連結板を含み、前記連結板の中には上下に貫通しており、且つ反対方向に開口した振り溝が左右に対称的に設けられ、前記振り溝の前後内壁の間には振り軸が回転できるように連結され、前記振り軸には支持ロッドが固定的に連結され、前記支持ロッドの中には下方に開口した伸縮チャンバが設けられ、前記伸縮チャンバの中には伸縮ロッドがスライドできるように設けられ、前記伸縮チャンバの左右両側内壁の中には復帰溝が対称的に連通し設けられ、前記復帰溝の中には復帰ブロックがスライドできるように設けられ、前記復帰ブロックが前記伸縮ロッドに固定的に連結され、前記復帰ブロックの下端と前記復帰溝の下側内壁との間には復帰バネが連結され、両側の前記支持ロッドの中には相対する方向に開口したガイド溝が設けられ、前記ガイド溝の上下両側内壁の間にはガイドロッドが固定的に連結され、前記ガイドロッドにはガイドスライドブロックがスライドできるように連結され、両側の前記ガイドスライドブロックの中には上下に貫通しており、且つ相対する方向に開口した連結溝が設けられ、前記連結溝の前後内壁の間には連結軸が回転できるように連結され、前記連結軸には振りロッドが固定的に連結され、前記長軸にはスライドロッドがスライドできるように連結され、前記振りロッドのうち対称中心に近接する一端が前記スライドロッドに固定的に連結され、前記連結板の中には気体貯蔵チャンバが左右に対称的に設けられ、前記気体貯蔵チャンバの中には圧縮板がスライドできるように設けられ、前記圧縮板のうち対称中心に近接する一端と前記気体貯蔵チャンバのうち対称中心に近接する側の内壁との間には圧縮バネが固定的に連結され、前記気体貯蔵チャンバのうち対称中心から離れている側の内壁の中には気体ガイド穴が連通し設けられ、前記気体ガイド穴が前記振り溝に連通しており、前記振り溝のうち対称中心に近接する側の内壁には弾性管が固定的に連結され、前記弾性管の中には左右に貫通している気体ガイド通路が設けられ、前記弾性管のうち対称中心から離れている一端が前記支持ロッドに固定的に連結され、前記ガイド通路が前記気体ガイド穴と前記気体ガイド溝とに連通しており、
前記伸縮装置はハンガーを伸縮させることができることを特徴とするニット用ハンガー。
【請求項２】
前記連結装置は前記連結板の下端に固定的に連結された固定ブロックを含み、前記固定ブロックの中には噛合抜き穴が上下に貫通し設けられ、前記連結板の下端面の中には前記噛合抜き穴に正対する連結軸受が固定的に設けられ、前記長軸の上端が前記連結軸受に連結でき、前記噛合抜き穴の左右両側内壁の中には歯車チャンバが対称的に連通し設けられ、前記歯車チャンバの中には平歯車が回転できるように設けられ、前記平歯車の中には短軸が固定的に連結され、前記短軸の後端にはリールが固定的に連結され、前記リールには引き糸が周設され、前記気体貯蔵チャンバのうち対称中心に近接する側の内壁の中にはワイヤーホイールチャンバが設けられ、前記ワイヤーホイールチャンバの中にはワイヤーホイールが回転できるように設けられ、前記引き糸の上端が前記ワイヤーホイールのガイドを通して前記圧縮板に固定的に連結され、前記スライドロッドの左右両側端面の中にはラックが固定的に設けられ、前記ラックが前記平歯車に噛合でき、前記スライドロッドの下側にはねじ山によって前記長軸に連結されたねじ山ブロックがスライドできるように設けられ、
前記連結装置により前記伸縮装置を駆動できることを特徴とする請求項１に記載のニット用ハンガー。
【請求項３】
前記動力装置はハンドルを含み、前記ハンドルの中にはモーターが固定的に設けられ、前記長軸の下端が前記モーターに動力が伝達できるように連結され、前記ハンドルの中には左方に開口した接触チャンバが設けられ、前記接触チャンバの上下両側内壁の中には上導電ブロックと下導電ブロックとがそれぞれ固定的に設けられ、前記上導電ブロックと前記下導電ブロックとの間には接触ブロックがスライドできるように設けられ、前記接触ブロックの左端には押しブロックが固定的に連結され、前記上導電ブロックと前記下導電ブロックとが前記モーターに電気によって接続され、
前記動力装置により前記連結装置を駆動できることを特徴とする請求項２に記載のニット用ハンガー。
【請求項４】
前記連結板の上端には連結ロッドが固定的に連結され、前記連結ロッドの上端にはフックが固定的に連結され、
前記フックによりハンガーとニットを掛けることができることを特徴とする請求項３に記載のニット用ハンガー。
【発明の詳細な説明】
【技術分野】
【０００１】
本発明はニット分野を取り上げて、具体的にはニット用ハンガーである。
【背景技術】
【０００２】
ニットの弾性はＴシャツの弾性より弱く、普通のハンガーでニットを乾す時、ニットを広げて変形させやすく、クリップ付きのハンガーでニットを乾すと服が壊れやすく、従って、定量的に収縮できるニット用ハンガーを設計する必要があり、本装置は定量的に伸縮でき、異なったサイズのニットに適し、更に気体圧縮の方式で緩く伸縮し、服へのダメージを避け、また、ハンガーと竿上げ棒とを分離し、快速に服を掛けて乾すことができる。
【先行技術文献】
【特許文献】
【０００３】
【特許文献１】中国特許出願公開第103536166号明細書
【発明の概要】
【発明が解決しようとする課題】
【０００４】
本発明の目的はニット用ハンガーを提供し、それは上記の現在の技術中の問題を解決できる。
【課題を解決するための手段】
【０００５】
本発明は以下の技術プランを通じて実現する：本発明のニット用ハンガーは、長軸を含み、前記長軸の上端にはハンガー装置が連結され、前記ハンガー装置の外側にはニットが掛けられており、前記ニットの中には内部チャンバが設けられ、前記ハンガー装置が前記内部チャンバの中に位置しており、前記長軸の下端には動力装置が連結され、前記ハンガー装置は伸縮装置と連結装置とを含み、前記伸縮装置は連結板を含み、前記連結板の中には上下に貫通しており、且つ反対方向に開口した振り溝が左右に対称的に設けられ、前記振り溝の前後内壁の間には振り軸が回転できるように連結され、前記振り軸には支持ロッドが固定的に連結され、前記支持ロッドの中には下方に開口した伸縮チャンバが設けられ、前記伸縮チャンバの中には伸縮ロッドがスライドできるように設けられ、前記伸縮チャンバの左右両側内壁の中には復帰溝が対称的に連通し設けられ、前記復帰溝の中には復帰ブロックがスライドできるように設けられ、前記復帰ブロックが前記伸縮ロッドに固定的に連結され、前記復帰ブロックの下端と前記復帰溝の下側内壁との間には復帰バネが連結され、両側の前記支持ロッドの中には相対する方向に開口したガイド溝が設けられ、前記ガイド溝の上下両側内壁の間にはガイドロッドが固定的に連結され、前記ガイドロッドにはガイドスライドブロックがスライドできるように連結され、両側の前記ガイドスライドブロックの中には上下に貫通しており、且つ相対する方向に開口した連結溝が設けられ、前記連結溝の前後内壁の間には連結軸が回転できるように連結され、前記連結軸には振りロッドが固定的に連結され、前記長軸にはスライドロッドがスライドできるように連結され、前記振りロッドのうち対称中心に近接する一端が前記スライドロッドに固定的に連結され、前記連結板の中には気体貯蔵チャンバが左右に対称的に設けられ、前記気体貯蔵チャンバの中には圧縮板がスライドできるように設けられ、前記圧縮板のうち対称中心に近接する一端と前記気体貯蔵チャンバのうち対称中心に近接する側の内壁との間には圧縮バネが固定的に連結され、前記気体貯蔵チャンバのうち対称中心から離れている側の内壁の中には気体ガイド穴が連通し設けられ、前記気体ガイド穴が前記振り溝に連通しており、前記振り溝のうち対称中心に近接する側の内壁には弾性管が固定的に連結され、前記弾性管の中には左右に貫通している気体ガイド通路が設けられ、前記弾性管のうち対称中心から離れている一端が前記支持ロッドに固定的に連結され、前記ガイド通路が前記気体ガイド穴と前記気体ガイド溝とに連通しており、
前記伸縮装置はハンガーを伸縮させることができる。
【０００６】
更の技術プラン、前記連結装置は前記連結板の下端に固定的に連結された固定ブロックを含み、前記固定ブロックの中には噛合抜き穴が上下に貫通し設けられ、前記連結板の下端面の中には前記噛合抜き穴に正対する連結軸受が固定的に設けられ、前記長軸の上端が前記連結軸受に連結でき、前記噛合抜き穴の左右両側内壁の中には歯車チャンバが対称的に連通し設けられ、前記歯車チャンバの中には平歯車が回転できるように設けられ、前記平歯車の中には短軸が固定的に連結され、前記短軸の後端にはリールが固定的に連結され、前記リールには引き糸が周設され、前記気体貯蔵チャンバのうち対称中心に近接する側の内壁の中にはワイヤーホイールチャンバが設けられ、前記ワイヤーホイールチャンバの中にはワイヤーホイールが回転できるように設けられ、前記引き糸の上端が前記ワイヤーホイールのガイドを通して前記圧縮板に固定的に連結され、前記スライドロッドの左右両側端面の中にはラックが固定的に設けられ、前記ラックが前記平歯車に噛合でき、前記スライドロッドの下側にはねじ山によって前記長軸に連結されたねじ山ブロックがスライドできるように設けられ、
前記連結装置により前記伸縮装置を駆動できる。
【０００７】
更の技術プラン、前記動力装置はハンドルを含み、前記ハンドルの中にはモーターが固定的に設けられ、前記長軸の下端が前記モーターに動力が伝達できるように連結され、前記ハンドルの中には左方に開口した接触チャンバが設けられ、前記接触チャンバの上下両側内壁の中には上導電ブロックと下導電ブロックとがそれぞれ固定的に設けられ、前記上導電ブロックと前記下導電ブロックとの間には接触ブロックがスライドできるように設けられ、前記接触ブロックの左端には押しブロックが固定的に連結され、前記上導電ブロックと前記下導電ブロックとが前記モーターに電気によって接続され、
前記動力装置により前記連結装置を駆動できる。
【０００８】
更の技術プラン、前記連結板の上端には連結ロッドが固定的に連結され、前記連結ロッドの上端にはフックが固定的に連結され、
前記フックによりハンガーとニットを掛けることができる。
【発明の効果】
【０００９】
本発明は構造が簡単で、操作が便利であり、定量的に伸縮でき、異なったサイズのニットに適し、更に気体圧縮の方式でゆっくりと伸縮し、服へのダメージを避ける一方、ハンガーと竿上げ棒とも分離でき、速く服を掛けて乾すことができる。
【図面の簡単な説明】
【００１０】
説明しやすいため、本発明は以下の具体的な実施例と付図を交え詳しく説明する。
【００１１】
【図１】図１は本発明のニット用ハンガーの内部構成略図
【図２】図２は図１のＡの拡大構成略図
【図３】図３は図１のＢの拡大構成略図
【図４】図４は図３のＣの拡大構成略図
【図５】図５は図３のＤの拡大構成略図
【図６】図６は図４のＥ−Ｅの構成略図
【発明を実施するための形態】
【００１２】
以下、図１−６を合わせて本発明について詳しく説明し、また、説明の便利を図るため、下記に記載の上下左右前後方向が図１自身の投影関係の上下左右前後方向と一致することにする。
【００１３】
図１−６を参照し、本発明のニット用ハンガーは、長軸１３を含み、前記長軸１３の上端にはハンガー装置１００が連結され、前記ハンガー装置１００の外側にはニット１１が掛けられており、前記ニット１１の中には内部チャンバ１２が設けられ、前記ハンガー装置１００が前記内部チャンバ１２の中に位置しており、前記長軸１３の下端には動力装置１０３が連結され、前記ハンガー装置１００は伸縮装置１０１と連結装置１０２とを含み、前記伸縮装置１０１は連結板５７を含み、前記連結板５７の中には上下に貫通しており、且つ反対方向に開口した振り溝３９が左右に対称的に設けられ、前記振り溝３９の前後内壁の間には振り軸４０が回転できるように連結され、前記振り軸４０には支持ロッド３２が固定的に連結され、前記支持ロッド３２の中には下方に開口した伸縮チャンバ３７が設けられ、前記伸縮チャンバ３７の中には伸縮ロッド３３がスライドできるように設けられ、前記伸縮チャンバ３７の左右両側内壁の中には復帰溝３４が対称的に連通し設けられ、前記復帰溝３４の中には復帰ブロック３６がスライドできるように設けられ、前記復帰ブロック３６が前記伸縮ロッド３３に固定的に連結され、前記復帰ブロック３６の下端と前記復帰溝３４の下側内壁との間には復帰バネ３５が連結され、両側の前記支持ロッド３２の中には相対する方向に開口したガイド溝２７が設けられ、前記ガイド溝２７の上下両側内壁の間にはガイドロッド２８が固定的に連結され、前記ガイドロッド２８にはガイドスライドブロック３１がスライドできるように連結され、両側の前記ガイドスライドブロック３１の中には上下に貫通しており、且つ相対する方向に開口した連結溝３０が設けられ、前記連結溝３０の前後内壁の間には連結軸２９が回転できるように連結され、前記連結軸２９には振りロッド２５が固定的に連結され、前記長軸１３にはスライドロッド２４がスライドできるように連結され、前記振りロッド２５のうち対称中心に近接する一端が前記スライドロッド２４に固定的に連結され、前記連結板５７の中には気体貯蔵チャンバ４２が左右に対称的に設けられ、前記気体貯蔵チャンバ４２の中には圧縮板４３がスライドできるように設けられ、前記圧縮板４３のうち対称中心に近接する一端と前記気体貯蔵チャンバ４２のうち対称中心に近接する側の内壁との間には圧縮バネ４４が固定的に連結され、前記気体貯蔵チャンバ４２のうち対称中心から離れている側の内壁の中には気体ガイド穴５４が連通し設けられ、前記気体ガイド穴５４が前記振り溝３９に連通しており、前記振り溝３９のうち対称中心に近接する側の内壁には弾性管５５が固定的に連結され、前記弾性管５５の中には左右に貫通している気体ガイド通路５６が設けられ、前記弾性管５５のうち対称中心から離れている一端が前記支持ロッド３２に固定的に連結され、前記ガイド通路５６が前記気体ガイド穴５４と前記気体ガイド溝４１とに連通しており、
前記伸縮装置１０１はハンガーを伸縮させることができる。
【００１４】
有益的には、前記連結装置１０２は前記連結板５７の下端に固定的に連結された固定ブロック４９を含み、前記固定ブロック４９の中には噛合抜き穴４８が上下に貫通し設けられ、前記連結板５７の下端面の中には前記噛合抜き穴４８に正対する連結軸受４７が固定的に設けられ、前記長軸１３の上端が前記連結軸受４７に連結でき、前記噛合抜き穴４８の左右両側内壁の中には歯車チャンバ５２が対称的に連通し設けられ、前記歯車チャンバ５２の中には平歯車５１が回転できるように設けられ、前記平歯車５１の中には短軸５９が固定的に連結され、前記短軸５９の後端にはリール５８が固定的に連結され、前記リール５８には引き糸５０が周設され、前記気体貯蔵チャンバ４２のうち対称中心に近接する側の内壁の中にはワイヤーホイールチャンバ４５が設けられ、前記ワイヤーホイールチャンバ４５の中にはワイヤーホイール４６が回転できるように設けられ、前記引き糸５０の上端が前記ワイヤーホイール４６のガイドを通して前記圧縮板４３に固定的に連結され、前記スライドロッド２４の左右両側端面の中にはラック５３が固定的に設けられ、前記ラック５３が前記平歯車５１に噛合でき、前記スライドロッド２４の下側にはねじ山によって前記長軸１３に連結されたねじ山ブロック１４がスライドできるように設けられ、
前記連結装置１０２により前記伸縮装置１０１を駆動できる。
【００１５】
有益的には、前記動力装置１０３はハンドル１７を含み、前記ハンドル１７の中にはモーター１８が固定的に設けられ、前記長軸１３の下端が前記モーター１８に動力が伝達できるように連結され、前記ハンドル１７の中には左方に開口した接触チャンバ２０が設けられ、前記接触チャンバ２０の上下両側内壁の中には上導電ブロック２２と下導電ブロック１９とがそれぞれ固定的に設けられ、前記上導電ブロック２２と前記下導電ブロック１９との間には接触ブロック２１がスライドできるように設けられ、前記接触ブロック２１の左端には押しブロック２３が固定的に連結され、前記上導電ブロック２２と前記下導電ブロック１９とが前記モーター１８に電気によって接続され、
前記動力装置１０３により前記連結装置１０２を駆動できる。
【００１６】
有益的には、前記連結板５７の上端には連結ロッド１５が固定的に連結され、前記連結ロッド１５の上端にはフック１６が固定的に連結され、
前記フック１６によりハンガーとニットを掛けることができる。
【００１７】
使用する時、長軸１３にスライドロッド２４と噛合抜き穴４８とを貫通させ、長軸１３を連結軸受４７に連結させ、ハンガー装置１００を内部チャンバ１２の中に伸ばし、フック１６が内部チャンバ１２の上側から伸び出し、その時に押しブロック２３を上にスライドさせ、これにより接触ブロック２１を上にスライド連動させて上導電ブロック２２と接触させ、その時にモーター１８を起動して長軸１３を正転連動させ、これによりねじ山ブロック１４を上にスライド連動させてスライドロッド２４を押し動かして上にスライドさせ、これにより振りロッド２５を上昇連動させ、これによりガイドスライドブロック３１を上にスライド連動させ、これにより支持ロッド３２を押し動かして振らせ、スライドロッド２４が上にスライドし、且つラック５３と平歯車５１とを噛合させ、これによりラック５３により平歯車５１を回転連動させ、これにより短軸５９によりリール５８を回転連動させ、これにより引き糸５０を緩め、その時に圧縮バネ４４の弾力により圧縮板４３を押し動かしてスライドさせ、これにより気体貯蔵チャンバ４２の中の空気を伸縮チャンバ３７の中に押し入れ、これにより伸縮ロッド３３を押し動かして伸縮チャンバ３７から伸ばし、伸縮ロッド３３が充分の長さに伸びた後、押しブロック２３を下に押し、これにより接触ブロック２１を上導電ブロック２２から離脱させ、これによりモーター１８を止め、その時にフック１６によりハンガー装置１００とニット１１を掛けることができ、その時に長軸１３を取り出して押しブロック２３を下にスライドさせることができ、これにより接触ブロック２１と下導電ブロック１９とを接触させ、これによりねじ山ブロック１４を下にスライド連動させ、使用する過程中、圧縮バネ４４が常に圧縮状態にあり、ハンガーが自動的に回収することを避ける。
【００１８】
有益効果は：本発明は構造が簡単で、操作が便利であり、定量的に伸縮でき、異なったサイズのニットに適し、更に気体圧縮の方式でゆっくりと伸縮し、服へのダメージを避ける一方、ハンガーと竿上げ棒とも分離でき、速く服を掛けて乾すことができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171636.tif 000003
【図２】
2020171636.tif 000004
【図３】
2020171636.tif 000005
【図４】
2020171636.tif 000006
【図５】
2020171636.tif 000007
【図６】
2020171636.tif 000008
【手続補正書】
【提出日】令和2年4月26日(2020.4.26)
【手続補正１】
【補正対象書類名】特許請求の範囲
【補正対象項目名】全文
【補正方法】変更
【補正の内容】
【特許請求の範囲】
【請求項１】
長軸を含み、前記長軸の上端にはハンガー装置が連結され、前記ハンガー装置の外側にはニットが掛けられており、前記ニットの中には内部チャンバが設けられ、前記ハンガー装置が前記内部チャンバの中に位置しており、前記長軸の下端には動力装置が連結され、前記ハンガー装置は伸縮装置と連結装置とを含み、前記伸縮装置は連結板と振り軸と支持ロッドと伸縮ロッドと復帰バネとガイドロッドとガイドスライドブロックと連結軸と振りロッドとスライドロッドと圧縮板と弾性管とを含み、振り溝が前記連結板を中心として左右対称に設置され、前記振り溝が上下に貫通しておりかつ反対方向に開口しており、前記振り溝の前後内壁の間には前記振り軸が回転できるように連結され、前記振り軸には前記支持ロッドが固定的に連結され、前記支持ロッドの中には下方に開口した伸縮チャンバが設けられ、前記伸縮チャンバの中には前記伸縮ロッドがスライドできるように設けられ、復帰溝が前記伸縮チャンバを中心として左右対称に設置され、かつ前記復帰溝が前記伸縮チャンバと連通しており、前記復帰溝の中には復帰ブロックがスライドできるように設けられ、前記復帰ブロックが前記伸縮ロッドに固定的に連結され、前記復帰ブロックの下端と前記復帰溝の下側内壁との間には前記復帰バネが連結され、両側の前記支持ロッドの中には相対する方向に開口したガイド溝が設けられ、前記ガイド溝の上下両側内壁の間には前記ガイドロッドが固定的に連結され、前記ガイドロッドには前記ガイドスライドブロックがスライドできるように連結され、両側の前記ガイドスライドブロックの中には上下に貫通しており、且つ相対する方向に開口した連結溝が設けられ、前記連結溝の前後内壁の間には前記連結軸が回転できるように連結され、前記連結軸には前記振りロッドが固定的に連結され、前記長軸には前記スライドロッドがスライドできるように連結され、前記振りロッドのうち前記連結板に近接する一端が前記スライドロッドに固定的に連結され、気体貯蔵チャンバが前記連結板の重心を中心として左右対称に設置され、前記気体貯蔵チャンバの中には前記圧縮板が左右方向にスライドできるように設けられ、前記圧縮板と前記気体貯蔵チャンバとの間には前記圧縮バネが固定的に連結され、前記気体貯蔵チャンバのうち前記連結板の重心から離れている側の内壁の中には気体ガイド穴が連通し設けられ、前記気体ガイド穴が前記振り溝に連通しており、前記振り溝のうち前記連結板の重心に近接する側の内壁には前記弾性管が固定的に連結され、前記弾性管の中には左右に貫通している気体ガイド通路が設けられ、前記弾性管のうち前記連結板の重心から離れている一端が前記支持ロッドに固定的に連結され、前記気体ガイド通路が前記気体ガイド穴と気体ガイド溝とに連通していることを特徴とするニット用ハンガー。
【請求項２】
前記連結装置は固定ブロックと連結軸受と平歯車と短軸とリールと引き糸とワイヤーホイールとラックとねじ山ブロックとを含み、前記固定ブロックが前記連結板の下端に固定的に連結され、前記固定ブロックの中には噛合抜き穴が上下に貫通し設けられ、前記連結板の下端面の中には前記噛合抜き穴に正対する連結軸受が固定的に設けられ、前記長軸の上端が前記連結軸受に連結でき、歯車チャンバが前記噛合抜き穴を中心として左右対称に設置され、かつ前記歯車チャンバが前記噛合抜き穴と連通しており、前記歯車チャンバの中には平歯車が回転できるように設けられ、前記平歯車の中には短軸が固定的に連結され、前記短軸の後端にはリールが固定的に連結され、前記リールには引き糸が周設され、前記気体貯蔵チャンバのうち前記噛合抜き穴に近接する側の内壁の中にはワイヤーホイールチャンバが設けられ、前記ワイヤーホイールチャンバの中にはワイヤーホイールが回転できるように設けられ、前記引き糸の一端が前記ワイヤーホイールのガイドを通して前記圧縮板に固定的に連結され、前記スライドロッドの左右両側端面の中にはラックが固定的に設けられ、前記ラックが前記平歯車に噛合でき、前記スライドロッドの下側にはねじ山によって前記長軸に連結されたねじ山ブロックがスライドできるように設けられていることを特徴とする請求項１に記載のニット用ハンガー。
【請求項３】
前記動力装置はハンドルとモーターと上導電ブロックと下導電ブロックと接触ブロックと押しブロックとを含み、前記ハンドルの中には前記モーターが固定的に設けられ、前記長軸の下端が前記モーターに動力が伝達できるように連結され、前記ハンドルの中には左方に開口した接触チャンバが設けられ、前記接触チャンバの上下両側内壁の中には前記上導電ブロックと前記下導電ブロックとがそれぞれ固定的に設けられ、前記上導電ブロックと前記下導電ブロックとの間には前記接触ブロックがスライドできるように設けられ、前記接触ブロックの左端には前記押しブロックが固定的に連結され、前記上導電ブロックと前記下導電ブロックとが前記モーターに通電可能に連結されていることを特徴とする請求項２に記載のニット用ハンガー。
【請求項４】
前記連結板の上端には連結ロッドが固定的に連結され、前記連結ロッドの上端にはフックが固定的に連結されていることを特徴とする請求項３に記載のニット用ハンガー。
【手続補正２】
【補正対象書類名】明細書
【補正対象項目名】全文
【補正方法】変更
【補正の内容】
【発明の詳細な説明】
【技術分野】
【０００１】
本発明はニット分野を取り上げて、具体的にはニット用ハンガーである。
【背景技術】
【０００２】
ニットの弾性はＴシャツの弾性より弱く、普通のハンガーでニットを乾す時、ニットを広げて変形させやすく、クリップ付きのハンガーでニットを乾すと服が壊れやすく、従って、定量的に収縮できるニット用ハンガーを設計する必要があり、本装置は定量的に伸縮でき、異なったサイズのニットに適し、更に気体圧縮の方式で緩く伸縮し、服へのダメージを避ける。
【先行技術文献】
【特許文献】
【０００３】
【特許文献１】中国特許出願公開第103536166号明細書
【発明の概要】
【発明が解決しようとする課題】
【０００４】
本発明の目的はニット用ハンガーを提供し、それは上記の現在の技術中の問題を解決できる。
【課題を解決するための手段】
【０００５】
本発明は以下の技術プランを通じて実現する：本発明のニット用ハンガーは、長軸を含み、前記長軸の上端にはハンガー装置が連結され、前記ハンガー装置の外側にはニットが掛けられており、前記ニットの中には内部チャンバが設けられ、前記ハンガー装置が前記内部チャンバの中に位置しており、前記長軸の下端には動力装置が連結され、前記ハンガー装置は伸縮装置と連結装置とを含み、前記伸縮装置は連結板を含み、振り溝が前記連結板を中心として左右対称に設置され、前記振り溝が上下に貫通しておりかつ反対方向に開口しており、前記振り溝の前後内壁の間には振り軸が回転できるように連結され、前記振り軸には支持ロッドが固定的に連結され、前記支持ロッドの中には下方に開口した伸縮チャンバが設けられ、前記伸縮チャンバの中には伸縮ロッドがスライドできるように設けられ、復帰溝が前記伸縮チャンバを中心として左右対称に設置され、かつ前記復帰溝が前記伸縮チャンバと連通しており、前記復帰溝の中には復帰ブロックがスライドできるように設けられ、前記復帰ブロックが前記伸縮ロッドに固定的に連結され、前記復帰ブロックの下端と前記復帰溝の下側内壁との間には復帰バネが連結され、両側の前記支持ロッドの中には相対する方向に開口したガイド溝が設けられ、前記ガイド溝の上下両側内壁の間にはガイドロッドが固定的に連結され、前記ガイドロッドにはガイドスライドブロックがスライドできるように連結され、両側の前記ガイドスライドブロックの中には上下に貫通しており、且つ相対する方向に開口した連結溝が設けられ、前記連結溝の前後内壁の間には連結軸が回転できるように連結され、前記連結軸には振りロッドが固定的に連結され、前記長軸にはスライドロッドがスライドできるように連結され、前記振りロッドのうち前記連結板に近接する一端が前記スライドロッドに固定的に連結され、気体貯蔵チャンバが前記連結板の重心を中心として左右対称に設置され、前記気体貯蔵チャンバの中には圧縮板が左右方向にスライドできるように設けられ、前記圧縮板と前記気体貯蔵チャンバとの間には圧縮バネが固定的に連結され、前記気体貯蔵チャンバのうち前記連結板の重心から離れている側の内壁の中には気体ガイド穴が連通し設けられ、前記気体ガイド穴が前記振り溝に連通しており、前記振り溝のうち前記連結板の重心に近接する側の内壁には弾性管が固定的に連結され、前記弾性管の中には左右に貫通している気体ガイド通路が設けられ、前記弾性管のうち前記連結板の重心から離れている一端が前記支持ロッドに固定的に連結され、前記気体ガイド通路が前記気体ガイド穴と気体ガイド溝とに連通している。
【０００６】
更の技術プラン、前記連結装置は前記連結板の下端に固定的に連結された固定ブロックを含み、前記固定ブロックの中には噛合抜き穴が上下に貫通し設けられ、前記連結板の下端面の中には前記噛合抜き穴に正対する前記連結軸受が固定的に設けられ、前記長軸の上端が前記連結軸受に連結でき、歯車チャンバが前記噛合抜き穴を中心として左右対称に設置され、かつ前記歯車チャンバが前記噛合抜き穴と連通しており、前記歯車チャンバの中には前記平歯車が回転できるように設けられ、前記平歯車の中には前記短軸が固定的に連結され、前記短軸の後端には前記リールが固定的に連結され、前記リールには前記引き糸が周設され、前記気体貯蔵チャンバのうち前記噛合抜き穴に近接する側の内壁の中には前記ワイヤーホイールチャンバが設けられ、前記ワイヤーホイールチャンバの中にはワイヤーホイールが回転できるように設けられ、前記引き糸の一端が前記ワイヤーホイールのガイドを通して前記圧縮板に固定的に連結され、前記スライドロッドの左右両側端面の中には前記ラックが固定的に設けられ、前記ラックが前記平歯車に噛合でき、前記スライドロッドの下側にはねじ山によって前記長軸に連結された前記ねじ山ブロックがスライドできるように設けられている。
【０００７】
更の技術プラン、前記動力装置はハンドルを含み、前記ハンドルの中にはモーターが固定的に設けられ、前記長軸の下端が前記モーターに動力が伝達できるように連結され、前記ハンドルの中には左方に開口した接触チャンバが設けられ、前記接触チャンバの上下両側内壁の中には上導電ブロックと下導電ブロックとがそれぞれ固定的に設けられ、前記上導電ブロックと前記下導電ブロックとの間には接触ブロックがスライドできるように設けられ、前記接触ブロックの左端には押しブロックが固定的に連結され、前記上導電ブロックと前記下導電ブロックとが前記モーターに通電可能に連結されている。
【０００８】
更の技術プラン、前記連結板の上端には連結ロッドが固定的に連結され、前記連結ロッドの上端にはフックが固定的に連結されていることができる。
【発明の効果】
【０００９】
本発明は構造が簡単で、操作が便利であり、定量的に伸縮でき、異なったサイズのニットに適し、更に気体圧縮の方式でゆっくりと伸縮し、服へのダメージを避ける。
【図面の簡単な説明】
【００１０】
説明しやすいため、本発明は以下の具体的な実施例と付図を交え詳しく説明する。
【００１１】
【図１】図１は本発明のニット用ハンガーの内部構成略図
【図２】図２は図１のＡの拡大構成略図
【図３】図３は図１のＢの拡大構成略図
【図４】図４は図３のＣの拡大構成略図
【図５】図５は図３のＤの拡大構成略図
【図６】図６は図４のＥ−Ｅの構成略図
【発明を実施するための形態】
【００１２】
以下、図１−６を合わせて本発明について詳しく説明し、また、説明の便利を図るため、下記に記載の上下左右前後方向が図１自身の投影関係の上下左右前後方向と一致することにする。
【００１３】
図１−６を参照し、本発明のニット用ハンガーは、長軸１３を含み、前記長軸１３の上端にはハンガー装置１００が連結され、前記ハンガー装置１００の外側にはニット１１が掛けられており、前記ニット１１の中には内部チャンバ１２が設けられ、前記ハンガー装置１００が前記内部チャンバ１２の中に位置しており、前記長軸１３の下端には動力装置１０３が連結され、前記ハンガー装置１００は伸縮装置１０１と連結装置１０２とを含み、前記伸縮装置１０１は連結板５７を含み、振り溝３９が前記連結板５７を中心として左右対称に設置され、前記振り溝３９が上下に貫通しておりかつ反対方向に開口しており、前記振り溝３９の前後内壁の間には振り軸４０が回転できるように連結され、前記振り軸４０には支持ロッド３２が固定的に連結され、前記支持ロッド３２の中には下方に開口した伸縮チャンバ３７が設けられ、前記伸縮チャンバ３７の中には伸縮ロッド３３がスライドできるように設けられ、復帰溝３４が前記伸縮チャンバ３７を中心として左右対称に設置され、かつ前記復帰溝３４が前記伸縮チャンバ３７と連通しており、前記復帰溝３４の中には復帰ブロック３６がスライドできるように設けられ、前記復帰ブロック３６が前記伸縮ロッド３３に固定的に連結され、前記復帰ブロック３６の下端と前記復帰溝３４の下側内壁との間には復帰バネ３５が連結され、両側の前記支持ロッド３２の中には相対する方向に開口したガイド溝２７が設けられ、前記ガイド溝２７の上下両側内壁の間にはガイドロッド２８が固定的に連結され、前記ガイドロッド２８にはガイドスライドブロック３１がスライドできるように連結され、両側の前記ガイドスライドブロック３１の中には上下に貫通しており、且つ相対する方向に開口した連結溝３０が設けられ、前記連結溝３０の前後内壁の間には連結軸２９が回転できるように連結され、前記連結軸２９には振りロッド２５が固定的に連結され、前記長軸１３にはスライドロッド２４がスライドできるように連結され、前記振りロッド２５のうち前記連結板５７に近接する一端が前記スライドロッド２４に固定的に連結され、気体貯蔵チャンバ４２が前記連結板５７の重心を中心として左右対称に設置され、前記気体貯蔵チャンバ４２の中には圧縮板４３が左右方向にスライドできるように設けられ、前記圧縮板４３と前記気体貯蔵チャンバ４２との間には圧縮バネ４４が固定的に連結され、前記気体貯蔵チャンバ４２のうち前記連結板５７の重心から離れている側の内壁の中には気体ガイド穴５４が連通し設けられ、前記気体ガイド穴５４が前記振り溝３９に連通しており、前記振り溝３９のうち前記連結板５７の重心に近接する側の内壁には弾性管５５が固定的に連結され、前記弾性管５５の中には左右に貫通している気体ガイド通路５６が設けられ、前記弾性管５５のうち前記連結板５７の重心から離れている一端が前記支持ロッド３２に固定的に連結され、前記気体ガイド通路５６が前記気体ガイド穴５４と気体ガイド溝４１とに連通している。
【００１４】
有益的には、前記連結装置１０２は前記連結板５７の下端に固定的に連結された固定ブロック４９を含み、前記固定ブロック４９の中には噛合抜き穴４８が上下に貫通し設けられ、前記連結板５７の下端面の中には前記噛合抜き穴４８に正対する連結軸受４７が固定的に設けられ、前記長軸１３の上端が前記連結軸受４７に連結でき、歯車チャンバ５２が前記噛合抜き穴４８を中心として左右対称に設置され、かつ前記歯車チャンバ５２が前記噛合抜き穴４８と連通しており、前記歯車チャンバ５２の中には平歯車５１が回転できるように設けられ、前記平歯車５１の中には短軸５９が固定的に連結され、前記短軸５９の後端にはリール５８が固定的に連結され、前記リール５８には引き糸５０が周設され、前記気体貯蔵チャンバ４２のうち前記噛合抜き穴４８に近接する側の内壁の中にはワイヤーホイールチャンバ４５が設けられ、前記ワイヤーホイールチャンバ４５の中にはワイヤーホイール４６が回転できるように設けられ、前記引き糸５０の一端が前記ワイヤーホイール４６のガイドを通して前記圧縮板４３に固定的に連結され、前記スライドロッド２４の左右両側端面の中にはラック５３が固定的に設けられ、前記ラック５３が前記平歯車５１に噛合でき、前記スライドロッド２４の下側にはねじ山によって前記長軸１３に連結されたねじ山ブロック１４がスライドできるように設けられている。
【００１５】
有益的には、前記動力装置１０３はハンドル１７を含み、前記ハンドル１７の中にはモーター１８が固定的に設けられ、前記長軸１３の下端が前記モーター１８に動力が伝達できるように連結され、前記ハンドル１７の中には左方に開口した接触チャンバ２０が設けられ、前記接触チャンバ２０の上下両側内壁の中には上導電ブロック２２と下導電ブロック１９とがそれぞれ固定的に設けられ、前記上導電ブロック２２と前記下導電ブロック１９との間には接触ブロック２１がスライドできるように設けられ、前記接触ブロック２１の左端には押しブロック２３が固定的に連結され、前記上導電ブロック２２と前記下導電ブロック１９とが前記モーター１８に通電可能に連結されている。
【００１６】
有益的には、前記連結板５７の上端には連結ロッド１５が固定的に連結され、前記連結ロッド１５の上端にはフック１６が固定的に連結されていることができる。
【００１７】
使用する時、長軸１３にスライドロッド２４と噛合抜き穴４８とを貫通させ、長軸１３を連結軸受４７に連結させ、ハンガー装置１００を内部チャンバ１２の中に伸ばし、フック１６が内部チャンバ１２の上側から伸び出し、その時に押しブロック２３を上にスライドさせ、これにより接触ブロック２１を上にスライド連動させて上導電ブロック２２と接触させ、その時にモーター１８を起動して長軸１３を正転連動させ、これによりねじ山ブロック１４を上にスライド連動させてスライドロッド２４を押し動かして上にスライドさせ、これにより振りロッド２５を上昇連動させ、これによりガイドスライドブロック３１を上にスライド連動させ、これにより支持ロッド３２を押し動かして振らせ、スライドロッド２４が上にスライドし、且つラック５３と平歯車５１とを噛合させ、これによりラック５３により平歯車５１を回転連動させ、これにより短軸５９によりリール５８を回転連動させ、これにより引き糸５０を緩め、その時に圧縮バネ４４の弾力により圧縮板４３を押し動かしてスライドさせ、これにより気体貯蔵チャンバ４２の中の空気を伸縮チャンバ３７の中に押し入れ、これにより伸縮ロッド３３を押し動かして伸縮チャンバ３７から伸ばし、押しブロック２３を下に押し、これにより接触ブロック２１を上導電ブロック２２から離脱させ、これによりモーター１８を止め、その時にフック１６によりハンガー装置１００とニット１１を掛けることができ、その時に長軸１３を取り出して押しブロック２３を下にスライドさせることができ、これにより接触ブロック２１と下導電ブロック１９とを接触させ、これによりねじ山ブロック１４を下にスライド連動させる。
【００１８】
有益効果は：本発明は構造が簡単で、操作が便利であり、定量的に伸縮でき、異なったサイズのニットに適し、更に気体圧縮の方式でゆっくりと伸縮し、服へのダメージを避ける。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
長軸を含み、前記長軸の上端にはハンガー装置が連結され、前記ハンガー装置の外側にはニットが掛けられており、前記ニットの中には内部チャンバが設けられ、前記ハンガー装置が前記内部チャンバの中に位置しており、前記長軸の下端には動力装置が連結され、前記ハンガー装置は伸縮装置と連結装置とを含み、前記伸縮装置は連結板と振り軸と支持ロッドと伸縮ロッドと復帰バネとガイドロッドとガイドスライドブロックと連結軸と振りロッドとスライドロッドと圧縮板と弾性管とを含み、振り溝が前記連結板を中心として左右対称に設置され、前記振り溝が上下に貫通しておりかつ反対方向に開口しており、前記振り溝の前後内壁の間には前記振り軸が回転できるように連結され、前記振り軸には前記支持ロッドが固定的に連結され、前記支持ロッドの中には下方に開口した伸縮チャンバが設けられ、前記伸縮チャンバの中には前記伸縮ロッドがスライドできるように設けられ、復帰溝が前記伸縮チャンバを中心として左右対称に設置され、かつ前記復帰溝が前記伸縮チャンバと連通しており、前記復帰溝の中には復帰ブロックがスライドできるように設けられ、前記復帰ブロックが前記伸縮ロッドに固定的に連結され、前記復帰ブロックの下端と前記復帰溝の下側内壁との間には前記復帰バネが連結され、両側の前記支持ロッドの中には相対する方向に開口したガイド溝が設けられ、前記ガイド溝の上下両側内壁の間には前記ガイドロッドが固定的に連結され、前記ガイドロッドには前記ガイドスライドブロックがスライドできるように連結され、両側の前記ガイドスライドブロックの中には上下に貫通しており、且つ相対する方向に開口した連結溝が設けられ、前記連結溝の前後内壁の間には前記連結軸が回転できるように連結され、前記連結軸には前記振りロッドが固定的に連結され、前記長軸には前記スライドロッドがスライドできるように連結され、前記振りロッドのうち前記連結板に近接する一端が前記スライドロッドに固定的に連結され、気体貯蔵チャンバが前記連結板の重心を中心として左右対称に設置され、前記気体貯蔵チャンバの中には前記圧縮板が左右方向にスライドできるように設けられ、前記圧縮板と前記気体貯蔵チャンバとの間には圧縮バネが固定的に連結され、前記気体貯蔵チャンバのうち前記連結板の重心から離れている側の内壁の中には気体ガイド穴が連通し設けられ、前記気体ガイド穴が前記振り溝に連通しており、前記振り溝のうち前記連結板の重心に近接する側の内壁には前記弾性管が固定的に連結され、前記弾性管の中には左右に貫通している気体ガイド通路が設けられ、前記弾性管のうち前記連結板の重心から離れている一端が前記支持ロッドに固定的に連結され、前記気体ガイド通路が前記気体ガイド穴と気体ガイド溝とに連通しており、
前記連結装置は固定ブロックと連結軸受と平歯車と短軸とリールと引き糸とワイヤーホイールとラックとねじ山ブロックとを含み、前記固定ブロックが前記連結板の下端に固定的に連結され、前記固定ブロックの中には噛合抜き穴が上下に貫通し設けられ、前記連結板の下端面の中には前記噛合抜き穴に正対する連結軸受が固定的に設けられ、前記長軸の上端が前記連結軸受に連結でき、歯車チャンバが前記噛合抜き穴を中心として左右対称に設置され、かつ前記歯車チャンバが前記噛合抜き穴と連通しており、前記歯車チャンバの中には平歯車が回転できるように設けられ、前記平歯車の中には短軸が固定的に連結され、前記短軸の後端にはリールが固定的に連結され、前記リールには引き糸が周設され、前記気体貯蔵チャンバのうち前記噛合抜き穴に近接する側の内壁の中にはワイヤーホイールチャンバが設けられ、前記ワイヤーホイールチャンバの中にはワイヤーホイールが回転できるように設けられ、前記引き糸の一端が前記ワイヤーホイールのガイドを通して前記圧縮板に固定的に連結され、前記スライドロッドの左右両側端面の中にはラックが固定的に設けられ、前記ラックが前記平歯車に噛合でき、前記スライドロッドの下側にはねじ山によって前記長軸に連結されたねじ山ブロックがスライドできるように設けられ、
前記動力装置はハンドルとモーターと上導電ブロックと下導電ブロックと接触ブロックと押しブロックとを含み、前記ハンドルの中には前記モーターが固定的に設けられ、前記長軸の下端が前記モーターに動力が伝達できるように連結され、前記ハンドルの中には左方に開口した接触チャンバが設けられ、前記接触チャンバの上下両側内壁の中には前記上導電ブロックと前記下導電ブロックとがそれぞれ固定的に設けられ、前記上導電ブロックと前記下導電ブロックとの間には前記接触ブロックがスライドできるように設けられ、前記接触ブロックの左端には前記押しブロックが固定的に連結され、前記上導電ブロックと前記下導電ブロックとが前記モーターに通電可能に連結され、前記伸縮ロッドを押し動かして前記伸縮チャンバから伸ばし、前記押しブロックを下に押し、これにより前記接触ブロックを前記上導電ブロックから離脱させ、これにより前記モーターを止めることを特徴とするニット用ハンガー。
【請求項２】
前記連結板の上端には連結ロッドが固定的に連結され、前記連結ロッドの上端にはフックが固定的に連結されていることを特徴とする請求項１に記載のニット用ハンガー。